(57)【要約】【課題】平面的に配列させた複数の端子付きケーブルとコネクタとをワンタッチで接続することが可能であり、また効率的な検査が可能なケーブル・コネクタ接続装置を提供することを目的とする。【解決手段】基台上に、コネクタの各端子に対応するように設けた複数の案内溝を備える矯正型を搭載し、複数のケーブルを前記矯正型の案内溝に係合させて外れないよう保持する挟着手段を設け、また前記基台上に、前記矯正型に向けて移動可能にコネクタ保持台を搭載し、コネクタ保持台の前記矯正型の案内溝に対向する位置にコネクタ保持手段を設け、さらに前記基台上に、前記コネクタ保持台の外側にコネクタ保持台の押出手段を配置し、この押出手段で前記コネクタを保持した状態のコネクタ保持台を前記矯正型の案内溝に向けて押し出すことにより、複数のケーブルと複数の端子が配列されたコネクタとの接続を行うようにしたことを特徴とするケーブル・コネクタ接続装置。【選択図】  図１
2007109412.tif 000002
【特許請求の範囲】
【請求項１】
所定間隔で配列された複数のケーブルと複数の端子が配列されたコネクタとの接続を行うためのケーブル・コネクタ接続装置であって、
基台上に、コネクタの各端子に対応するように設けた複数の案内溝を備える矯正型を搭載し、複数のケーブルを前記矯正型の案内溝に係合させて外れないよう保持する挟着手段を設け、また
前記基台上に、前記矯正型に向けて移動可能にコネクタ保持台を搭載し、コネクタ保持台の前記矯正型の案内溝に対向する位置にコネクタ保持手段を設け、さらに
前記基台上に、前記コネクタ保持台の外側にコネクタ保持台の押出手段を配置し、この押出手段で前記コネクタを保持した状態のコネクタ保持台を前記矯正型の案内溝に向けて押し出すことにより、
複数のケーブルと複数の端子が配列されたコネクタとの接続を行うようにしたことを特徴とするケーブル・コネクタ接続装置。
【請求項２】
前記複数のケーブルを前記矯正型の案内溝に係合させて外れないよう保持する挟着手段が、矯正型の案内溝を横断するよう矯正型上に倒伏可能に取り付けた開閉レバーからなることを特徴とする請求項１記載のケーブル・コネクタ接続装置。
【請求項３】
前記コネクタ保持台の外側に配置したコネクタ保持台の押出手段が、基台上に設置したスライドガイドと、スライドガイド内に保持されてコネクタ保持台に当接するよう進退可能に設けた押出バーと、押出バーの後部にリンク機構を介して回動自在に取り付けた押出レバーとからなり、押出レバーを操作することにより押出バーをコネクタ保持台に向けて移動可能としたことを特徴とする請求項１または２記載のケーブル・コネクタ接続装置。
【請求項４】
複数のケーブルを取り付けたコネクタを、測定に際して挿通可能とした検査溝を備え、検査溝の一端の片側を他方の側よりも短くして、複数のケーブルを取り付けたコネクタを検査溝の他端から突き出しやすくしたことを特徴とするケーブル・コネクタ接続装置用検査装置。
【発明の詳細な説明】
【技術分野】
【０００１】
この発明は、複数の端子付きケーブルとコネクタとの接続を行なうためのケーブル・コネクタ接続装置に関する。
【背景技術】
【０００２】
平面的に配列させた複数の端子付きケーブルとコネクタとを接続する場合、予め複数の端子付きケーブルをコネクタの端子配列に対応させて成形しておき、成形済みの端子付きケーブルをコネクタの対応した端子に組み付けて、電気的かつ機械的に接続するという方法が一般に採られている。
【０００３】
例えば実開平５−３９１１９号公報（特許文献１参照）には、多心ケーブルの心線を溝内から浮き上がらないようすること、及び心線の損傷、断線事故を防止することを目的として、配列ブロックの前後に浮き防止用ブロックを配置し、さらに、一方の浮き防止用ブロックの前段に櫛歯状ブロックを配置することにより、溝内に配列した心線の浮き上がりを防止するとともに、櫛歯状ブロックにより心線を裕度をもって案内し、特に、最外側の心線の突っ張りが防止され、心線の損傷、断線事故が防止できるようにした心線配列治具が提案されている。
【０００４】
また、特開平５−２９０５３号公報（特許文献２参照）には、多芯フラットケーブルの芯線とコネクタの端子の位置ずれのない接続を効率的に行なうケーブル・コネクタ接続装置が示されている。すなわち、コネクタと上下の矯正型を多芯フラットケーブルへ向け前進させ、成形された芯線を、矯正型の案内溝との係合により、矯正すると同時に端子に組み合わせ保持する。この状態のまま全体を溶接部へ送り、端子と芯線を溶接する。
【０００５】
実開昭６０−３６７９号公報（特許文献３参照）には、多数本の心線の端末を所定間隔に容易に配列し得て、かつ、その配列状態を確実に維持することができる多心ケーブルの心線端末配列板を提供することを目的として、多数本の心線の端末が載置される保持板の載置面に、前記心線の端末が一本づつ挿入される溝をその幅方向に間隔をあけて平行に多数条設け、かつ、これらの溝の幅を前記心線の外径よりも僅かに小さく形成して成ることを特徴とする多心ケーブルの心線端末配列板が示されている。
【０００６】
さらに、特開平１０−２８４２０８号公報（特許文献４参照）には、電線束の両端にコネクターが付けられているときだけでなく、一端にのみ付けられているときでもコネクターに対する電線の配列の正誤を容易に検査することのできる方法を提供することを目的として、電線の種類別に異なる色の絶縁材料にて被覆された複数本の電線と、これら電線の端部を所定の配列で束ねるコネクターとを備えたハーネスのコネクターに対する電線の配列を検査する方法において、電線の種類の数をｍとするとき、ｍ≦２nとなるようなｎ種類の波長の光を各電線に照射し、その光の種類毎の反射光量に基づいて電線の配列の正誤を検査することを特徴とするハーネスのコネクターに対する電線の配列を検査する方法が示されている。
【特許文献１】実開平５−３９１１９号公報
【特許文献２】特開平５−２９０５３号公報
【特許文献３】実開昭６０−３６７９号公報
【特許文献４】特開平１０−２８４２０８号公報
【発明の開示】
【発明が解決しようとする課題】
【０００７】
しかしながら、前記各特許文献やその他の公報類にも、平面的に配列させた複数の端子付きケーブルとコネクタとをワンタッチで接続するというケーブル・コネクタ接続装置はいまだ知られていなかった。
【０００８】
この発明は上記問題点を解決し、平面的に配列させた複数の端子付きケーブルとコネクタとをワンタッチで接続することが可能であり、また効率的な検査が可能なケーブル・コネクタ接続装置を提供することを目的とする。
【課題を解決するための手段】
【０００９】
この発明のケーブル・コネクタ接続装置は、所定間隔で配列された複数のケーブルと複数の端子が配列されたコネクタとの接続を行うためのケーブル・コネクタ接続装置であって、
基台上に、コネクタの各端子に対応するように設けた複数の案内溝を備える矯正型を搭載し、複数のケーブルを前記矯正型の案内溝に係合させて外れないよう保持する挟着手段を設け、また
前記基台上に、前記矯正型に向けて移動可能にコネクタ保持台を搭載し、コネクタ保持台の前記矯正型の案内溝に対向する位置にコネクタ保持手段を設け、さらに
前記基台上に、前記コネクタ保持台の外側にコネクタ保持台の押出手段を配置し、この押出手段で前記コネクタを保持した状態のコネクタ保持台を前記矯正型の案内溝に向けて押し出すことにより、
複数のケーブルと複数の端子が配列されたコネクタとの接続を行うようにしたことを特徴とするものである。
【００１０】
この発明のケーブル・コネクタ接続装置は、前記複数のケーブルを前記矯正型の案内溝に係合させて外れないよう保持する挟着手段が、矯正型の案内溝を横断するよう矯正型上に倒伏可能に取り付けた開閉レバーからなることをも特徴とするものである。
【００１１】
この発明のケーブル・コネクタ接続装置は、前記コネクタ保持台の外側に配置したコネクタ保持台の押出手段が、基台上に設置したスライドガイドと、スライドガイド内に保持されてコネクタ保持台に当接するよう進退可能に設けた押出バーと、押出バーの後部にリンク機構を介して回動自在に取り付けた押出レバーとからなり、押出レバーを操作することにより押出バーをコネクタ保持台に向けて移動可能としたことをも特徴とするものである。
【００１２】
この発明のケーブル・コネクタ接続装置用検査装置は、前記複数のケーブルを取り付けたコネクタを、測定に際して挿通可能とした検査溝を備え、検査溝の一端の片側を他方の側よりも短くして、複数のケーブルを取り付けたコネクタを検査溝の他端から突き出しやすくしたことをも特徴とするものである。
【発明の効果】
【００１３】
この発明は以上のように構成したので、平面的に配列させた複数の端子付きケーブルとコネクタとをワンタッチで接続することが可能であり、また効率的な検査が可能なケーブル・コネクタ接続装置を提供することが可能となった。
【発明を実施するための最良の形態】
【００１４】
以下、この発明のケーブル・コネクタ接続装置の実施の形態を図面に基いて詳細に説明する。
図１はこの発明のケーブル・コネクタ接続装置の１実施例を示し、開閉レバーを開いた状態の平面図、図２はその正面図、図３はその側面図、図４は開閉レバーを閉じた状態の平面図、図５はその正面図、図６はその側面図、図７は開閉レバーを開いた状態の斜視図、図８は複数のケーブルを矯正型の案内溝に係合させた状態を示す斜視図、図９は開閉レバーを閉じた状態の斜視図、図１０はケーブルとコネクタとの圧着方向を示す側面図、図１１は他の圧着方向を示す側面図、図１２はケーブルを圧着用ハウジングに挿入した状態の側面図、図１３（ａ）はケーブル・コネクタ接続装置用検査装置の平面図、同図（ｂ）はその正面図、同図（ｃ）はその左側面図、同図（ｄ）はその右側面図、図１４および図１５はそれぞれその斜視図である。
【００１５】
図１ないし図３において、１１は装置全体の基台であり、１２は基台１１上に所定の間隔でネジ止めによって配置した左右一対のガイドフレーム、１３はコネクタ３１の各端子に対応するように設けた複数の案内溝１４を備える矯正型で、ガイドフレーム１２間にはめ込み、ネジを緩めたり締め付けて取り付け取外し可能としてある。
その上で、前記矯正型１３の案内溝１４に複数のケーブル１５を係合させて外れないよう保持する挟着手段が設けてあり、この挟着手段の望ましい例が、矯正型１３の案内溝１４を横断するよう基台１１上面に設けた支柱１７側面に軸１８を用いて軸着され、案内溝１４上に倒伏可能とした開閉レバー１６である。この開閉レバー１６を支持する支柱１７は、その軸１８の位置が矯正型１３の案内溝１４の上面とほぼ対応しており、開閉レバー１６を回動して矯正型１３の案内溝１４上に倒した際に、矯正型１３の上面と開閉レバー１６の当接する面とが密着するよう保持されている。なお、開閉レバー１６の当接面にも、矯正型１３の案内溝１４と対応する凹溝１９を形成しておくことが望ましい。
【００１６】
前記基台１１上にまた、前記左右一対のガイドフレーム１２の一端にはめ込まれ、前記矯正型１３に向けて移動可能としたコネクタ保持台２０が搭載されている。そして、コネクタ保持台２０の前記矯正型１３の案内溝１４に対向する位置にコネクタ保持手段が設けてある。このコネクタ保持手段は、コネクタ３１を収納するよう切り欠いたはめ込み部２１からなり、コネクタ３１の種類やサイズに応じて異なるはめ込み部２１を形成した数種のコネクタ保持台２０を用意しておいて、適宜このはめ込み部２１にコネクタ３１をはめ込んで使用すればよい。
【００１７】
次に、前記基台１１上には、前記コネクタ保持台２０の外側にコネクタ保持台２０の押出手段が配置してある。前記コネクタ保持台２０の外側に配置したコネクタ保持台２０の押出手段の具体的な構成例は下記の通りである。
すなわち、基台１１から延長したレバー保持台２２上に固定したスライドガイド２３と、スライドガイド２３内に保持されてコネクタ保持台２０に当接するよう進退可能に設けた押出バー２４と、押出バー２４の後部にリンク機構２５を介して回動自在に取り付けた押出レバー２６とからなる。そして、前記押出レバー２６を手動もしくは機械的に操作することにより、スライドガイド２３内の押出バー２４をコネクタ保持台２０に向けて進退可能としている。
【００１８】
前記リンク機構２５は、レバー保持台２２上に回動自在に保持され、押出レバー２６と一体的に回動する第１アーム２７と、第１アーム２７の中間に一端を軸着され、他端を押出バー２４の末端に軸着した第２アーム２８とで構成され、押出レバー２６の回転運動を押出バー２４の直線運動に変える機能を備えている。
前記押出レバー２６を操作し、押出バー２４をコネクタ保持台２０に向けて前進させた状態を図４ないし図６に示す。
【００１９】
以上の構成からなるこの発明のケーブル・コネクタ接続装置の使用に際しては、先ず図７のように前記押出レバー２６と矯正型１３上の開閉レバー１６とを開放した状態としておき、次いで図８のように前記矯正型１３の案内溝１４に複数のケーブル１５を係合して整列させ、その後開閉レバー１６を矯正型１３上に倒して複数のケーブル１５を所定位置に保持する。
その上で、図４ないし図６に示すように前記押出レバー２６を操作し、押出バー２４をコネクタ保持台２０に向けて前進させる。このようにすることによって、コネクタ保持台２０のはめ込み部２１に取り付けたコネクタ３１を、前記矯正型１３の案内溝１４に係合した複数のケーブル１５にはめ込んで挿入させることができるのである。
【００２０】
次に、図１０ないし図１２により、複数のケーブル１５に端子２９を圧着する場合についてより具体的に説明する。
1）配線がＡ〜Ａの場合は図１０の向きで複数のケーブル１５に端子２９を圧着することが基本となる。
2）配線がＡ〜エンドの場合は図１１の向きで複数のケーブル１５に端子２９を圧着することが基本となる。
そして、上記の圧着方法で得た1）〜2）の圧着形状の全自動両端圧着機を選んで作業することが望ましい。
3）半自動両端圧着機による圧着の場合は、必ず片側のみ複数のケーブル１５に端子２９を圧着して、コネクタ３１への挿入作業を行ない、その後に方向を確認し、もう一方の側において複数のケーブル１５に端子２９を圧着する作業をすることが必要である。
4）基本的には端子のランス（抜止め部）は挿入冶具では下向きとなる。（但し、端子形状よってはランスが上向きの時もある。）
5）最初にコネクタ保持台にコネクタのランスが下向きになるようセットする。
ガイド板を手前に倒し、次に片側挿入してあるコネクタが1対1もしくは1対エンドになる様に矯正型の案内溝に複数のケーブルをセットする（この時に片側挿入してあるコネクタを持ち、複数のケーブルのバラケを修正する）。
複数のケーブル端部の端子は、矯正型の案内溝の先端部分のガイド部分にランスを下向きに整列した上、開閉レバーを倒す。
6）次に押出レバーでコネクタ保持台を複数のケーブル端部の端子の前まで移動する。ガイド板を上げて押出レバーを押し、コネクタで端子を軽く押すようにする。その時にコネクタにケーブル端部の端子がのぞくか確認する。その時にケーブル端部の端子が上を向いて居たら指先か竹グシで軽く修正すればよい。
コネクタにケーブル端部の端子が全部入ったのを確認し、押出レバーを押す。押出レバーを手で押す時に、ケーブル端部の端子がコネクタの縁に当たっていれば当たっている感触が分かるので、端子の不具合が発生することはない。
【００２１】
次に、この発明のケーブル・コネクタ接続装置用検査装置は、図１３ないし図１５に示すように、検査装置４１の上面に測定に際してコネクタを挿通可能とした検査溝４２を備えるとともに、検査溝４２の一端の片側には他方の側よりも短くした操作用切欠き４３を設けて、複数のケーブルを取り付けたコネクタを検査溝４２の他端から突き出しやすくしたものである。
【００２２】
したがって、この発明のケーブル・コネクタ接続装置用検査装置によれば、前記複数のケーブルを取り付けたコネクタの先端を、検査装置４１の検査溝４２に押し込み、検査溝４２の一端の片側に設けた操作用切欠き４３位置においてコネクタの後端を押して、複数のケーブルを取り付けたコネクタを検査溝４２の他端から突き出すという簡単な操作を可能としたものである。
そして、コネクタが検査溝４２内を通過する際、問題がない場合には抵抗なく通過する一方、ケーブル・コネクタ間が確実に接続されていない場合には通過に際してかなりの抵抗が発生するので、簡単にケーブル・コネクタ間の接続状況をチェックすることができる。
【産業上の利用可能性】
【００２３】
この発明は以上のように構成されており、平面的に配列させた複数の端子付きケーブルとコネクタとをワンタッチで接続するためばかりでなく、同様のケーブルとコネクタとを接続する他の用途においても適用することが可能である。
【図面の簡単な説明】
【００２４】
【図１】この発明のケーブル・コネクタ接続装置の１実施例を示し、開閉レバーを開いた状態の平面図である。
【図２】その正面図である。
【図３】その側面図である。
【図４】開閉レバーを閉じた状態の平面図である。
【図５】その正面図である。
【図６】その側面図である。
【図７】開閉レバーを開いた状態の斜視図である。
【図８】複数のケーブルを矯正型の案内溝に係合させた状態を示す斜視図である。
【図９】開閉レバーを閉じた状態の斜視図である。
【図１０】ケーブルとコネクタとの圧着方向を示す側面図である。
【図１１】他の圧着方向を示す側面図である。
【図１２】ケーブルを圧着用ハウジングに挿入した状態の側面図である。
【図１３】（ａ）はケーブル・コネクタ接続装置用検査装置の平面図、同図（ｂ）はその正面図、同図（ｃ）はその左側面図、同図（ｄ）はその右側面図である。
【図１４】その斜視図である。
【図１５】別の方向から見た斜視図である。
【符号の説明】
【００２５】
１１  基台
１２  ガイドフレーム
１３  矯正型
１４  案内溝
１５  ケーブル
１６  開閉レバー
１７  支柱
１８  軸
１９  凹溝
２０  コネクタ保持台
２１  はめ込み部
２２  レバー保持台
２３  スライドガイド
２４  押出バー
２５  リンク機構
２６  押出レバー
２７  第１アーム
２８  第２アーム
２９  端子
３１  コネクタ
４１  検査装置
４２  検査溝
４３  操作用切欠き
【図１】
2007109412.tif 000003
【図２】
2007109412.tif 000004
【図３】
2007109412.tif 000005
【図４】
2007109412.tif 000006
【図５】
2007109412.tif 000007
【図６】
2007109412.tif 000008
【図７】
2007109412.tif 000009
【図８】
2007109412.tif 000010
【図９】
2007109412.tif 000011
【図１０】
2007109412.tif 000012
【図１１】
2007109412.tif 000013
【図１２】
2007109412.tif 000014
【図１３】
2007109412.tif 000015
【図１４】
2007109412.tif 000016
【図１５】
2007109412.tif 000017